(57)【要約】【課題】カセット挿抜性が良く、かつ部品点数の少ない安価なカセット装着装置を提供することを目的とする。【解決手段】側板１２によるカセットテープ３０側面への押圧を、カセットテープ３０が移動している途中でのみ作用させ、カセット挿抜位置やカセット装填位置では解除させるようにしたことより、カセット挿抜時の負荷を低減し、さらに長時間負荷がかかることによるバネのへたりやクリープ変形を防ぐことが可能なカセット装着装置を得ることができる。【選択図】図１
2005327330.tif 000002
【特許請求の範囲】
【請求項１】
記録媒体を内包したカセットを保持し、使用者が前記カセットを着脱可能な第１の位置と、前記カセットを装置内に装填し前記記録媒体に対して信号の記録再生が可能な第２の位置との間を移動可能なカセット装着装置であって、
前記カセットを主面に保持する保持板と前記保持板の両端に立設された側板とからなるカセット保持手段と、前記カセット保持手段の両端を案内可能に保持するプレートと、前記側板に設けられた凸部と、前記プレートに設けられ前記凸部に当接することで前記側板を前記カセット保持手段の移動方向と直交する方向へ移動させるカムとを備え、
前記凸部と前記カムとは、第１の位置と第２の位置との間の位置でのみ当接し、当接した際に前記カセットを移動方向とは直交する方向へ付勢することを特徴とするカセット装着装置。
【請求項２】
基板上に、情報が記録される記録媒体を包含するカセットを下方から受け止めた状態で保持するカセット保持部を備え、前記カセット保持部が、そのカセット受け止め部分に載置されたカセットを保持した状態で、カセットの挿抜可能な第１の位置から、回転駆動されたリール台による前記記録媒体に対する駆動可能時における第２の位置に移動することにより、カセットをその記録媒体に対する駆動が可能な位置に装着するカセット装着装置において、前記カセット保持部は、カセットを載せる保持板と保持板の両端に対向するように立設された一対の側板を備え、前記カセット保持部を摺動自在に保持して、カセット装填位置まで案内する一対のプレートと、前記カセット保持ユニットを移動させる駆動手段を備えたカセット装着装置であり、第１の位置から第２の位置に移動中に前記カセット保持部に設けられた側板をスライドさせる手段を有し、前記カセットの側面を押圧するように構成したことを特徴とするカセット装着装置。
【請求項３】
前記カセット保持部の側板によるカセットへの押圧は、カセット挿抜可能な第１の位置と、カセット装填が完了した第２の位置では、押圧しないように構成した請求項２に記載のカセット装着装置。
【発明の詳細な説明】
【技術分野】
【０００１】
本発明は、情報が記録された記録媒体を包含するカセットを所定位置へ移動して装着し、その記録媒体から情報を取り出す磁気記録再生装置に関し、特にフロントローデイング方式のカセット装着装置に関するものである。
【背景技術】
【０００２】
従来から例えば映像を記録再生する磁気装置の１つとして、一般家庭において使用されているビデオテープレコーダー（以下、ＶＴＲと略称する）では、その内部にビデオテープカセット（以下、単にカセットと記載する）が装着され、そのカセットを用いて例えばテレビ放送などの映像が記録再生される。
【０００３】
その際のカセット装着方式としては、近年では、ほとんどのＶＴＲで前面挿入装着方式（フロントローデイング方式）が採用されている。
【０００４】
このような従来のＶＴＲにおいて、情報であるテレビ放送などの映像を記録再生するため、カセットをその記録再生位置に装着するカセット装着部の概略構成を以下に説明する。
【０００５】
以下、従来カセット装着装置の一実施形態を図７〜１０を用いて説明する。図７のａは従来のカセット装着装置におけるカセット挿入前を示す平面図である。また図１のｂは、前記条件における側面図である。図８のａは、従来のカセット装着装置におけるカセット挿抜位置を示す平面図、また図８のｂは、前記条件における側面図である。図９のａは、従来のカセット装着装置におけるカセット移動中の位置を示す平面図、また図９のｂは、前記条件における側面図である。図１０のａは、従来のカセット装着装置におけるカセット装着位置を示す平面図、また図１０のｂは、前記条件における側面図である。
【０００６】
従来のカセット装着装置は、図７に示すように、カセットを載せる保持板１１の長手方向両端に保持板１１に対して垂直に側板１２と側板１３が取り付けられ、カセット保持ユニットを構成している。
【０００７】
さらに側板１２と側板１３には、それぞれガイドピン１４〜１６とガイドピン１７〜１９が設けられているとともに、側板１２にはカセット押圧バネ２０が取り付けられている。
【０００８】
一方、一対のプレート２１とプレート２２が左右平行に立設されており、それぞれ一対の溝部２３〜２８が設けられている。
【０００９】
上記構成において、側板１２，１３のガイドピン１４〜１９は、一対のプレート２１および２２の溝部２３〜２８に摺動自在に組み込まれ、図示しない駆動手段によって、カセット保持ユニットは、カセット挿抜位置とカセット装填位置との間を上記溝部２３〜２８に沿って案内され移動する。
【００１０】
その際、カセットテープ３０は、カセット押圧バネ２０により、その左側面を常に押圧され、カセット保持ユニット内で、ずれることなく、カセット保持ユニットと同一の軌跡で移動する。
【特許文献１】特開２０００−１７３１３９号公報
【発明の開示】
【発明が解決しようとする課題】
【００１１】
しかしながら上記の従来の構成では、図７に示すように、カセット保持ユニットの側板２１の一部に板バネ２０を設け、この板バネ２０でカセットテープ３０側面を押圧することから、カセット挿抜時には板バネ２０の負荷を受けることになり、カセットの挿抜時に大きな負荷を伴うという問題点を有していた。
【００１２】
また、カセット押圧バネである板バネ２０とカセットテープ３０左側面には、長時間負荷がかかるので、バネ力のへたりが生じるという問題があった。
【００１３】
さらに、カセット押圧バネとして、板バネ２０を使用しているので、コスト上不利であった。
【００１４】
本発明は上記従来の問題点を解決するもので、所定のタイミングでのみ、カセット保持部の側板を移動させることで、カセットを押圧することにより、カセット挿抜性の良いカセット装着装置を提供することを目的とする。
【課題を解決するための手段】
【００１５】
上記課題を解決するために本発明のカセット装着装置は、記録媒体を内包したカセットを保持し、使用者が前記カセットを着脱可能な第１の位置と、前記カセットを装置内に装填し前記記録媒体に対して信号の記録再生が可能な第２の位置との間を移動可能なカセット装着装置であって、前記カセットを主面に保持する保持板と前記保持板の両端に立設された側板とからなるカセット保持手段と、前記カセット保持手段の両端を案内可能に保持するプレートと、前記側板に設けられた凸部と、前記プレートに設けられ前記凸部に当接することで前記側板を前記カセット保持手段の移動方向と直交する方向へ移動させるカムとを備え、凸部と前記カムとは、第１の位置と第２の位置との間の位置でのみ当接し、当接した際に前記カセットを移動方向とは直交する方向へ付勢するようにしたことにより、カセットの位置ずれを防止するために、前記カセットを押圧する側板を所定のタイミングのみ、押圧するように制御する制御手段とを備えたカセット装着装置である。
【発明の効果】
【００１６】
以上のように本発明のカセット装着方式は、上述のような構成としているので、ホルダーの側板によるカセットの押圧を、テープカセットが移動している必要な位置でのみ動作させ、カセット挿抜位置やカセット装填位置などの不要な位置では、解除させることにより、カセット挿抜時の負荷を低減し、さらに長時間の負荷がかかることによるカセットの変形を防ぐことができる。
【発明を実施するための最良の形態】
【００１７】
本発明の請求項１に記載の発明は、記録媒体を内包したカセットを保持し、使用者が前記カセットを着脱可能な第１の位置と、前記カセットを装置内に装填し前記記録媒体に対して信号の記録再生が可能な第２の位置との間を移動可能なカセット装着装置であって、前記カセットを主面に保持する保持板と前記保持板の両端に立設された側板とからなるカセット保持手段と、前記カセット保持手段の両端を案内可能に保持するプレートと、前記側板に設けられた凸部と、前記プレートに設けられ前記凸部に当接することで前記側板を前記カセット保持手段の移動方向と直交する方向へ移動させるカムとを備え、前記凸部と前記カムとは、第１の位置と第２の位置との間の位置でのみ当接し、当接した際に前記カセットを移動方向とは直交する方向へ付勢するものである。
【００１８】
請求項２及び３に記載の発明は、基板上に、情報が記録される記録媒体を包含するカセットを下方から受け止めた状態で保持するカセット保持部を備え、前記カセット保持部が、そのカセット受け止め部分に載置されたカセットを保持した状態で、カセットの挿抜可能な第１の位置から、回転駆動されたリール台による前記記録媒体に対する駆動可能時における第２の位置に移動することにより、カセットをその記録媒体に対する駆動が可能な位置に装着するカセット装着装置において、前記カセット保持部は、カセットを載せる保持板と保持板の両端に対向するように立設された一対の側板を備え、前記カセット保持部を摺動自在に保持して、カセット装填位置まで案内する一対のプレートと、前記カセット保持ユニットを移動させる駆動手段を備えたカセット装着装置であり、第１の位置から第２の位置に移動中に前記カセット保持部に設けられた側板をスライドさせる手段を有し、前記カセットの側面を押圧するように構成したものである。
【００１９】
（実施の形態１）
以下、本発明の実施の形態１におけるカセット装着装置の一実施形態を図１〜図６を用いて説明する。
【００２０】
図１のａは本実施形態のカセット装着装置におけるカセット挿入前を示す平面図、また図１のｂは、前記条件における側面図である。図２のａは、本実施形態のカセット装着装置におけるカセット挿抜位置を示す平面図、また図２のｂは、前記条件における側面図である。図３のａは、本実施形態のカセット装着装置におけるカセット移動中の位置を示す平面図、また図３のｂは、前記条件における側面図である。図４は、本実施形態のカセット装着装置におけるカセット押圧時の状態を示す部分側面図である。図５は、本実施形態のカセット装着装置におけるカセット保持板のスライド構成を示す部分図である。図６のａは、本実施形態のカセット装着装置におけるカセット装着位置を示す平面図、また図６のｂは、前記条件における側面図である。
【００２１】
図において、１０は保持板１１と側板１２及び１３などからなるカセット保持部材で、カセットテープ３０を保持するものである。１１はカセットテープ３０を保持あるいは載置するための保持板、１１ｂはスライド溝、１２及び１３は保持板１１の長手方向両端において保持板の主面に対して略垂直方向に立説配置された側板、１２ａは側板１２に設けられたピン状のカムフォロア、１２ｂはスライドピン、１４、１５、１６は側板１２に設けられプレート２１に設けられた各種ガイド溝に係合することでカセット保持部材１０を移動案内するガイドピン、１７，１８，１９は側板１３に設けられプレート２２に設けられた各種ガイド溝に係合することでカセット保持部材１０を移動案内するガイドピン、２１及び２２はカセット保持部材１０の両端を保持するプレート、２１ａはプレート２１に設けられたカムで、プレート２１の主面よりも高さが高くなっている部位であり、カムフォロワ１２ａを案内するものである。２３、２４、２５はプレート２１に設けられガイドピン１４〜１６が移動可能に係合することでカセット保持部材１０の案内をするガイド溝、２６、２７、２８はプレート２２に設けられガイドピン１７〜１９が移動可能に係合することでカセット保持部材１０の案内をするガイド溝、３０は内部に映像音声信号などを記録再生可能なテープ状媒体を配したカセットテープである。
【００２２】
本実施形態のカセット装着装置は、図１に示すように、カセット押圧スプリング２０を廃止している。
【００２３】
以上のように構成された本実施の形態のカセット装着装置について、以下その動作について説明する。
【００２４】
カセット保持部材１０の側板１２の一部に、カムフォロア１２ａとスライドピン１２ｂを設け、また保持板１１の一部にスライド溝１１ｂを設け、さらにプレート２１にカム２１ａを設けており、カセット保持部の矢印Ｃ−Ｄ方向の移動に伴って、側板１２は、矢印Ｅ−Ｆ方向に移動可能とするものである。
【００２５】
まず、カセット挿抜位置（図１及び２参照）においては、カムフォロア１２ａはカム２１ａに嵌合あるいは当接しておらず、側板１２は矢印Ｆ方向に移動しているため、側板１２はカセットテープ３０の側面を押圧しない。このため、カセット挿抜位置では、カセットテープ３０に対する負荷はかからない。なお、カセットテープ３０と側板１２との間は、僅かな隙間を有している。この状態において、使用者はカセットテープ３０をカセット保持部材１０に対して挿抜あるいは着脱することが可能である。
【００２６】
次に、図１及び図２の状態から使用者が、カセット３０を矢印Ｃ方向へ押圧すると、内部のモータなどの駆動源（図示せず）が動作を開始し、カセット保持部材１０がその駆動力によって矢印Ｃ方向へ移動を開始する。所定位置までカセット保持部材１０が移動すると、カムフォロワ１２ａが、カム２１ａの第１傾斜部２１ｂに当接し、摺動しながらカム２１ａ上を移動する。これに伴い、側板１２は矢印Ｅ方向へ移動し、カセットテープ３０の左側面に当接する。そして、図３及び図４に示す状態へと到達する。
【００２７】
カセット移動中の位置（図３及び４参照）においては、カムフォロア１２ａはカム２１ａに、嵌合あるいは当接していることにより、側板１２は矢印Ｅ方向に移動するため、側板１２はカセットテープ３０の左側面を所定の押圧力で押圧する。これによって、カセットテープ３０の両側面に、側板１２及び１３によって挟持されることによる規制力が働き、カセットテープ３０がカセット保持部材１０内からのズレを防止することができる。
【００２８】
この状態からカセット保持部材１１がさらに移動すると、カセット保持部材１０はガイド溝２３〜２８にガイドピン１４〜１９が係合していることによりその移動が案内され、やがて矢印Ｇに示すように下降移動する。そして、所定位置まで移動した時に、カムフォロワ１２ａはカム２１ａの第２傾斜部２１ｃを下降移動し、カム２１ａから離脱する。この状態を図６に示す。
【００２９】
次に、カセット装着位置（図６参照）においては、カムフォロア１２ａはカム２１ａに嵌合あるいは当接しておらず、側板１２は矢印Ｆ方向に移動しているため、側板１２はカセットテープ３０の側面を押圧していない。このため、図示のカセット装着位置では、カセットテープ３０に対する横方向の負荷はかからない。この状態に移動する際に、別途設けられたカセット蓋開閉機構（図示せず）により、カセットテープ３０の前蓋３０ａを矢印Ｈ方向へ回動させ、内部のテープ状媒体が露出するように開く。
【００３０】
なお、図６に示すカセット装着位置では、図示しない駆動機構により、カセット保持ユニットが、カセットテープ３０の下側方向に押圧され、側板１２のカセット押さえ部により、カセットテープ３０は下方に押圧されるため、カセット押圧バネ２０によるカセットテープ３０の側面への押圧は不要となるものである。
【００３１】
以上のように本実施の形態によれば、側板１２によるカセットテープ３０側面への押圧を、カセットテープ３０が移動している途中でのみ作用させ、カセット挿抜位置やカセット装填位置では解除させるようにしたことより、カセット挿抜時の負荷を低減し、さらに長時間負荷がかかることによるバネのへたりやクリープ変形を防ぐことが可能なカセット装着装置を得ることができる。
【００３２】
これにより、側板にてカセットの側面を押圧するように構成しているので、従来必要であった、カセット押圧バネを廃止することが可能であり、コストの低減を実現することができる。
【００３３】
本発明のカセット装着装置は、上述のような構成としているので、カセット保持ユニットの側板のカセットへの押圧をカセットが移動している位置等の必要な位置でのみ動作させ、カセット挿抜位置やカセット装填位置等の不要な位置では解除させることにより、カセット挿抜時の負荷を低減し、さらに長時間負荷がかかることによるバネのへたりやクリープ変形を防ぐことができる。
【００３４】
なお、本実施の形態では、カム２１ａやカムフォロワ１２ａを側板１２側に設けた構成として説明したが、側板１３側に設けてもよい。
【産業上の利用可能性】
【００３５】
本発明にかかるカセット装着装置は、ビデオテープレコーダー等として有用であり、特に安価な手段でカセットをカセット保持ユニット内で保持することに適している。
【図面の簡単な説明】
【００３６】
【図１】本実施形態のカセット装着装置におけるカセット挿入前を示す平面図
【図２】本実施形態のカセット装着装置におけるカセット挿抜位置を示す平面図
【図３】本実施形態のカセット装着装置におけるカセット移動中の位置を示す平面図
【図４】本実施形態のカセット装着装置におけるカセット押圧時の状態を示す部分側面図
【図５】本実施形態のカセット装着装置におけるカセット保持板のスライド構成を示す部分図
【図６】本実施形態のカセット装着装置におけるカセット装着位置を示す平面図
【図７】従来のカセット装着装置におけるカセット挿入前を示す平面図
【図８】従来のカセット装着装置におけるカセット挿抜位置を示す平面図
【図９】従来のカセット装着装置におけるカセット移動中の位置を示す平面図
【図１０】従来のカセット装着装置におけるカセット装着位置を示す平面図
【符号の説明】
【００３７】
１１    保持板
１１ｂ    スライド溝
１２    側板
１２ａ    カムフォロア
１２ｂ    スライドピン
１３    側板
１４、１５、１６    ガイドピン
１７，１８，１９    ガイドピン
２０    カセット押圧バネ
２１    プレート
２１ａ    カム
２２    プレート
２３、２４、２５    ガイド溝
２６、２７、２８    ガイド溝
３０    カセットテープ
【図１】
2005327330.tif 000003
【図２】
2005327330.tif 000004
【図３】
2005327330.tif 000005
【図４】
2005327330.tif 000006
【図５】
2005327330.tif 000007
【図６】
2005327330.tif 000008
【図７】
2005327330.tif 000009
【図８】
2005327330.tif 000010
【図９】
2005327330.tif 000011
【図１０】
2005327330.tif 000012